【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
イントラフレームビットレートの割り当て方法であって、
コンピュータ機器が、画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の現在フレームをインターフレームとして符号化することと、を含み、
前記コンピュータ機器が、対応するプリコーディングコストを算出し、前記プリコーディングコストが、イントラフレーム符号化コストと、インターフレーム符号化コストと、を含み、
前記コンピュータ機器が、算出された前記プリコーディングコストに基づいてイントラフレームビットレートを割り当て、割り当てられたイントラフレームビットレートと算出された前記プリコーディングコストとの間に正の相関がある、
ことを含むことを特徴とする方法。
【請求項２】
前記イントラフレーム符号化コストは、前記画像の現在フレームをイントラフレームとして符号化することにより得られ、前記インターフレーム符号化コストは、前記画像の現在フレームをインターフレームとして符号化することにより得られる、
ことを特徴とする請求項１に記載の方法。
【請求項３】
前記コンピュータ機器が、算出された前記プリコーディングコストに基づいてイントラフレームビットレートを割り当てることは、
前記コンピュータ機器が、前記画像の現在フレームのイントラフレーム符号化コストとインターフレーム符号化コストとの比である前記画像の現在フレームのイントラフレーム／インターフレーム符号化コスト比を算出し、
前記コンピュータ機器が、前記イントラフレーム／インターフレーム符号化コスト比に基づいて、イントラフレーム目標ビットレートとインターフレーム目標ビットレートとの比であるイントラフレーム／インターフレーム目標ビットレート比を決定し、前記イントラフレーム／インターフレーム目標ビットレート比と前記イントラフレーム／インターフレーム符号化コスト比との間に正の相関があり、
前記コンピュータ機器が総目標ビットレートを取得し、
前記コンピュータ機器が、取得された前記総目標ビットレート、決定された前記イントラフレーム／インターフレーム目標ビットレート比、並びに、予め設定されたイントラフレーム数及びインターフレーム数に基づいて、イントラフレームビットレートを割り当てる、
ことを含むことを特徴とする請求項１又は２に記載の方法。
【請求項４】
前記コンピュータ機器が、前記イントラフレーム／インターフレーム符号化コスト比に基づいて、イントラフレーム／インターフレーム目標ビットレート比を決定することは、
前記コンピュータ機器が、前記イントラフレーム／インターフレーム符号化コスト比を予め設定された各閾値と比較して、前記イントラフレーム／インターフレーム符号化コスト比に対応する閾値区間を決定し、
前記コンピュータ機器が、対応する閾値区間に基づいて、前記イントラフレーム／インターフレーム符号化コスト比に対応するイントラフレーム／インターフレーム目標ビットレート比を決定し、前記イントラフレーム／インターフレーム目標ビットレート比と前記イントラフレーム／インターフレーム符号化コスト比との間に正の相関がある、
ことを含むことを特徴とする請求項３に記載の方法。
【請求項５】
前記コンピュータ機器が総目標ビットレートを取得することは、
前記コンピュータ機器がビデオフレームレートを取得し、
前記コンピュータ機器が、前記ビデオフレームレート、並びに、予め設定された秒当たり目標ビットレート及びフレーム数に基づいて、前記総目標ビットレートを算出する、
ことを含むことを特徴とする請求項３又は４に記載の方法。
【請求項６】
前記コンピュータ機器が、取得された前記総目標ビットレート、決定された前記イントラフレーム／インターフレーム目標ビットレート比、並びに、予め設定されたイントラフレーム数及びインターフレーム数に基づいて、イントラフレームビットレートを割り当てることは、
次の数式によって、前記イントラフレームビットレートを算出する、ことを含み、
【数１】
2019536385.tif 000001
ここで、Sizeは前記総目標ビットレートであり、NumIは前記イントラフレーム数であり、NumPは前記インターフレーム数であり、Cは前記イントラフレーム／インターフレーム目標ビットレート比である、
ことを特徴とする請求項３乃至５のいずれか１項に記載の方法。
【請求項７】
前記コンピュータ機器が、オリジナル解像度のビデオ画像に対して、ダウンサンプリング処理を行う、ことをさらに含み、
前記プリコーディングは、ダウンサンプリング処理後の画像の現在フレームに対してプリコーディングを行うことを含む、
ことを特徴とする請求項１乃至６のいずれか１項に記載の方法。
【請求項８】
コンピュータ機器であって、メモリとプロセッサとを備え、前記メモリには、コンピュータ可読命令が記憶され、前記コンピュータ可読命令は、前記プロセッサによって実行されると、前記プロセッサに、
画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の現在フレームをインターフレームとして符号化することと、を含み、
対応するプリコーディングコストを算出し、前記プリコーディングコストが、イントラフレーム符号化コストと、インターフレーム符号化コストと、を含み、
算出された前記プリコーディングコストに基づいてイントラフレームビットレートを割り当て、割り当てられたイントラフレームビットレートと算出された前記プリコーディングコストとの間に正の相関がある、
ことを実行させるコンピュータ機器。
【請求項９】
前記イントラフレーム符号化コストは、前記画像の現在フレームをイントラフレームとして符号化することにより得られ、前記インターフレーム符号化コストは、前記画像の現在フレームをインターフレームとして符号化することにより得られ、
前記算出された前記プリコーディングコストに基づいてイントラフレームビットレートを割り当てることは、
前記画像の現在フレームのイントラフレーム符号化コストとインターフレーム符号化コストとの比である前記画像の現在フレームのイントラフレーム／インターフレーム符号化コスト比を算出し、
前記イントラフレーム／インターフレーム符号化コスト比に基づいて、イントラフレーム目標ビットレートとインターフレーム目標ビットレートとの比であるイントラフレーム／インターフレーム目標ビットレート比を決定し、前記イントラフレーム／インターフレーム目標ビットレート比と前記イントラフレーム／インターフレーム符号化コスト比との間に正の相関があり、
総目標ビットレートを取得し、
取得された前記総目標ビットレート、決定された前記イントラフレーム／インターフレーム目標ビットレート比、並びに、予め設定されたイントラフレーム数及びインターフレーム数に基づいて、イントラフレームビットレートを割り当てる、
ことを含むことを特徴とする請求項８に記載のコンピュータ機器。
【請求項１０】
前記イントラフレーム／インターフレーム符号化コスト比に基づいて、イントラフレーム／インターフレーム目標ビットレート比を決定することは、
前記イントラフレーム／インターフレーム符号化コスト比を予め設定された各閾値と比較して、前記イントラフレーム／インターフレーム符号化コスト比に対応する閾値区間を決定し、
対応する閾値区間に基づいて、前記イントラフレーム／インターフレーム符号化コスト比に対応するイントラフレーム／インターフレーム目標ビットレート比を決定し、前記イントラフレーム／インターフレーム目標ビットレート比と前記イントラフレーム／インターフレーム符号化コスト比との間に正の相関がある、
ことを含むことを特徴とする請求項９に記載のコンピュータ機器。
【請求項１１】
総目標ビットレートを取得することは、
ビデオフレームレートを取得し、
前記ビデオフレームレート、並びに、予め設定された秒当たり目標ビットレート及びフレーム数に基づいて、前記総目標ビットレートを算出する、
ことを含むことを特徴とする請求項９又は１０に記載のコンピュータ機器。
【請求項１２】
前記コンピュータ可読命令は、さらに、前記プロセッサに、
オリジナル解像度のビデオ画像に対して、ダウンサンプリング処理を行う、ことを実行させ、
前記プリコーディングは、ダウンサンプリング処理後の画像の現在フレームに対してプリコーディングを行うことを含む、
ことを特徴とする請求項８乃至１１のいずれか１項に記載のコンピュータ機器。
【請求項１３】
コンピュータ可読命令が記憶された１つ又は複数の不揮発性記憶媒体であって、前記コンピュータ可読命令は、１つ又は複数のプロセッサによって実行されると、１つ又は複数のプロセッサに、
画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の現在フレームをインターフレームとして符号化することと、を含み、
対応するプリコーディングコストを算出し、前記プリコーディングコストが、イントラフレーム符号化コストと、インターフレーム符号化コストと、を含み、
算出された前記プリコーディングコストに基づいてイントラフレームビットレートを割り当て、割り当てられたイントラフレームビットレートと算出された前記プリコーディングコストとの間に正の相関がある、
ことを実行させる記憶媒体。
【請求項１４】
前記イントラフレーム符号化コストは、前記画像の現在フレームをイントラフレームとして符号化することにより得られ、前記インターフレーム符号化コストは、前記画像の現在フレームをインターフレームとして符号化することにより得られ、
前記算出された前記プリコーディングコストに基づいてイントラフレームビットレートを割り当てることは、
前記画像の現在フレームのイントラフレーム符号化コストとインターフレーム符号化コストとの比である前記画像の現在フレームのイントラフレーム／インターフレーム符号化コスト比を算出し、
前記イントラフレーム／インターフレーム符号化コスト比に基づいて、イントラフレーム目標ビットレートとインターフレーム目標ビットレートとの比であるイントラフレーム／インターフレーム目標ビットレート比を決定し、前記イントラフレーム／インターフレーム目標ビットレート比と前記イントラフレーム／インターフレーム符号化コスト比との間に正の相関があり、
総目標ビットレートを取得し、
取得された前記総目標ビットレート、決定された前記イントラフレーム／インターフレーム目標ビットレート比、並びに、予め設定されたイントラフレーム数及びインターフレーム数に基づいて、イントラフレームビットレートを割り当てる、
ことを含むことを特徴とする請求項１３に記載の記憶媒体。
【請求項１５】
前記イントラフレーム／インターフレーム符号化コスト比に基づいて、イントラフレーム／インターフレーム目標ビットレート比を決定することは、
前記イントラフレーム／インターフレーム符号化コスト比を予め設定された各閾値と比較して、前記イントラフレーム／インターフレーム符号化コスト比に対応する閾値区間を決定し、
対応する閾値区間に基づいて、前記イントラフレーム／インターフレーム符号化コスト比に対応するイントラフレーム／インターフレーム目標ビットレート比を決定し、前記イントラフレーム／インターフレーム目標ビットレート比と前記イントラフレーム／インターフレーム符号化コスト比との間に正の相関がある、
ことを含むことを特徴とする請求項１４に記載の記憶媒体。
【手続補正２】
【補正対象書類名】明細書
【補正対象項目名】０００７
【補正方法】変更
【補正の内容】
【０００７】
イントラフレームビットレートの割り当て方法であって、
コンピュータ機器が、画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の  現在フレームをインターフレームとして符号化することと、を含み、
前記コンピュータ機器が、対応するプリコーディングコストを算出し、前記プリコーディングコストが、イントラフレーム符号化コストと、インターフレーム符号化コストと、を含み、
前記コンピュータ機器が、算出された前記プリコーディングコストに基づいてイントラフレームビットレートを割り当て、割り当てられたイントラフレームビットレートと算出された前記プリコーディングコストとの間に正の相関がある、ことを含む。
【手続補正３】
【補正対象書類名】明細書
【補正対象項目名】０００８
【補正方法】変更
【補正の内容】
【０００８】
コンピュータ機器であって、メモリとプロセッサとを備え、前記メモリには、コンピュータ可読命令が記憶され、前記コンピュータ可読命令は、前記プロセッサによって実行されると、前記プロセッサに、
画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の現在フレームをインターフレームとして符号化することと、を含み、
対応するプリコーディングコストを算出し、前記プリコーディングコストが、イントラフレーム符号化コストと、インターフレーム符号化コストと、を含み、
算出された前記プリコーディングコストに基づいてイントラフレームビットレートを割り当て、割り当てられたイントラフレームビットレートと算出された前記プリコーディングコストとの間に正の相関がある、ことを実行させる。
【手続補正４】
【補正対象書類名】明細書
【補正対象項目名】０００９
【補正方法】変更
【補正の内容】
【０００９】
コンピュータ可読命令が記憶された１つ又は複数の不揮発性記憶媒体であって、前記コンピュータ可読命令は、１つ又は複数のプロセッサによって実行されると、１つ又は複数のプロセッサに、
画像の現在フレームが所定のフレームシーケンスのイントラフレームである場合、前記画像の現在フレームに対してプリコーディングを行い、前記プリコーディングが、画像の現在フレームをイントラフレームとして符号化することと、画像の現在フレームをインターフレームとして符号化することと、を含み、
対応するプリコーディングコストを算出し、前記プリコーディングコストが、イントラフレーム符号化コストと、インターフレーム符号化コストと、を含み、
算出された前記プリコーディングコストに基づいてイントラフレームビットレートを割り当て、割り当てられたイントラフレームビットレートと算出された前記プリコーディングコストとの間に正の相関がある、ことを実行させる。
【手続補正５】
【補正対象書類名】明細書
【補正対象項目名】０１０２
【補正方法】変更
【補正の内容】
【０１０２】
図７は、イントラフレームビットレートの割り当て装置の構成の模式図である。図７に示すように、イントラフレームビットレートの割り当て装置は、プリコーディングモジュール７０２と、符号化コスト算出モジュール７０４と、割り当てモジュール７０６と、を含む。
【手続補正６】
【補正対象書類名】図面
【補正対象項目名】図６
【補正方法】変更
【補正の内容】
【図６】
2019536385.tif 000002